(57)【要約】【課題】中空プレートのための結合金具であって中空プレートのカバープレートの破損が回避される結合金具を提供すること。【解決手段】ケーシング内に回転可能に支承された緊締部分を有し、自由端部にねじ山を有する引締めボルトのヘッドを前記緊締部分が受容している形式の結合金具において、前記ケーシングに、延長された前記引締めボルトのための案内管が固定されていること。【選択図】図２
2005201449.tif 000002
【特許請求の範囲】
【請求項１】
中空プレート、特にハニカムプレート、サンドイッチプレート又はそれに類似したもののための結合金具であって、ケーシング（１）内に回転可能に支承された緊締部分（２）を有し、自由端部にねじ山（９）を有する引締めボルト（４）のヘッド（３）を前記緊締部分（２）が受容している形式のものにおいて、前記ケーシング（１１）に、延長された前記引締めボルト（４）のために案内管（１１）が固定されていることを特徴とする、中空プレートのための結合金具。
【請求項２】
前記案内管（１１）がケーシング（１）と一体に構成されている、請求項１記載の結合金具。
【請求項３】
前記案内管（１１）の自由端部に、前記引締めボルト（４）のための通過開口（７）を備え、当該中空プレート（１２）の切欠き（１５）内に挿入される支持ケーシング（６）が配置されている、請求項１又は２記載の結合金具。
【請求項４】
前記ケーシング（１）が前記支持ケーシング（６）と、当該中空プレート（１２）の上側に位置する固定プレート（５）によって結合されている、請求項３記載の結合金具。
【請求項５】
前記案内管（２５）が当該中空プレート（１２）に対して垂直に位置する長手方向ウエブ（２６）を有し、該長手方向ウエブが当該中空プレート（１２）の両方のカバープレート（１４，２７）に接している、請求項１から４までのいずれか１項記載の結合金具。
【発明の詳細な説明】
【技術分野】
【０００１】
本発明は中空プレート、特にハニカムプレート、サンドイッチプレート又はそれに類似したもののための結合金具に関する。
【背景技術】
【０００２】
前記中空プレートは比較的に薄いが、硬い２枚のカバープレートから成っている。この場合、カバープレートの間の中空室は波形厚紙又は類似した材料で充たされている。内実のプレートの場合には金具を当該プレートの孔に挿入するか又は簡単な形式でねじ込むことができるが、中空プレートの場合には金具又はねじは中空室内で保持されることはできないので、カバープレートの上に固定されることに限られてしまう。しかしカバープレートは比較的に薄いので、このカバープレートの折損を回避するためには特別な対策を講じる必要がある。
【０００３】
これは、ケーシング内に回転可能に支承された緊締部分を有し、緊締部分が自由端部にねじ山を有する対応する引締めボルトのヘッドを受容する結合金具において、本発明によれば、延長された引締めボルトのためにケーシングに案内管が固定されていることにより達成された。このような形式でカバープレートにおけるケーシングのための切欠きはカバープレートの縁から引っ込められ、これによりカバープレートの縁にて切欠きが裂開する危惧は排除される。この場合、案内管は引締めボルトの申分のない案内と支持に役立つので引締めボルトは困難なく、結合しようとする中空プレートの相応する孔に導入されることができる。
【０００４】
有利には製作を容易にするために案内管はケーシングと一体に構成される。金具と中空プレートとの結合をさらに強めるためには、本発明の更なる特徴によれば案内管の自由端部に、引締めボルトのための通過開口を備えた、中空プレートの第２の切欠き内へ挿入された支持ケーシングが配置されている。さらにこの実施例においてケーシングと支持ケーシングとを、カバープレートの上側にある固定プレートによって結合することが有利である。中空プレートをさらに強化するためには切欠きの領域にて管が中空プレートに対し垂直に位置する長手方向ウエブを有し、この長手方向ウエブが中空プレートの両方のカバープレートに接触するように構成されていると有利である。
【発明を実施するための最良の形態】
【０００５】
結合金具はケーシング１を有し、その中に回転可能に支承された緊締部分２を引締めボルト４のヘッド３のために有している。さらにケーシング１はプレート５を介し、支持ケーシング６と結合されている。支持ケーシング６は引締めボルト４のための通過開口７を有している。さらに両ケーシング１．６は逆鉤状の弾性的に旋回可能なベーン８を備えている。このベーン８はハニカムプレート１２（図３）のカバープレート１４に支持されるために役立つ。引締めボルト４の自由端部はねじ山９を備え、該ねじ山９は拡開スリーブ１０に係合する。図２においては個々の部分は組合わされかつ拡開スリーブ１０は畳まれている。この場合、ケーシング１と支持ケーシング６は付加的に、引締めボルト４の上に位置する案内管１１によって結合されている。
【０００６】
図３においては２つのハニカムプレート１２，１３が本発明による結合金具を用いて互いに固定されている。この場合、ハニカムプレート１２のカバープレート１４にはケーシング１と支持ケーシング６とのための切欠き１５と１６とが設けられている。畳まれた拡開スリーブ１０は拡開させられて内部にてハニカムプレート１３のカバーブレートに接している。緊締部分２を有するケーシング１がカバープレート１４の自由縁部から大きな間隔を有していることでカバープレート１４が列断することは実地において阻止される。このためには付加的に支持ケーシング６と特にプレート５とが関与する。
【０００７】
図４には支持ケーシング６を省略した実施例が示され、図示されていない緊締部分を備えたケーシング１８だけが設けられている。このケーシング１８はハニカムプレート１２のカバープレート１４の上側にフランジ１９で固定されている。この場合にもカバープレート１４の端縁からできるだけ大きな間隔を達成するためには引締めボルト２１のために同様に案内管２０が設けられている。この案内管２０も拡開スリーブ２２で内側でハニカムプレート１３のカバープレート１７に固定される。
【０００８】
図５のケーシング２３は固定プレートなしでハニカムプレート１２のカバープレート１４の切欠き２４に挿入されている。それにも拘らず固定的な結合を達成するためには案内管２５は付加的に、ハニカムプレート１２に対し垂直に位置する長手方向ウエブ２６を有している。この長手方向ウエブ２６はハニカムプレート１２の両方のカバープレート１４と２７とに接触する。
【図面の簡単な説明】
【０００９】
【図１】結合金具の分解斜視図。
【００１０】
【図２】図１の結合金具を組立済みの状態で示した図。
【００１１】
【図３】結合しようとする２つのハニカムプレートを図１の結合金具と共に示した図。
【００１２】
【図４】他の結合金具を有する、図３に相応する図。
【００１３】
【図５】さらに別の結合金具を有する図３に相応する図。
【符号の説明】
【００１４】
１  ケーシング、  ２  緊締部分、  ３  ヘッド、  ４  引締めボルト、  ５  プレート、  ６  支持ケーシング、  ７  貫通開口、  ８  ベーン、  ９    ねじ山、  １０  拡開スリーブ、  １１  案内管、  １２  ハニカムプレート、  １３  ハニカムプレート、  １４  カバープレート、  １５  切欠き、  １６  切欠き、  １７  カバープレート、  １８  ケーシング、  １９  フランジ、  ２０  案内管、  ２１  引締めボルト、  ２２  拡開スリーブ、  ２３  ケーシング、  ２４  切欠き、  ２５  案内管、  ２６  長手方向ウエブ、  ２７  カバープレート
【図１】
2005201449.tif 000003
【図２】
2005201449.tif 000004
【図３】
2005201449.tif 000005
【図４】
2005201449.tif 000006
【図５】
2005201449.tif 000007